(57)【要約】      （修正有）【課題】環境負荷の増大を抑制する医療材料の提供を目的とする。【解決手段】天然材料からナノファイバーを採取し、高機能材料として用いる技術がある。本発明は、薬剤保持用成型体であって、薬剤を内部に保持する外装体を有し、前記外装体は、天然高分子系ナノファイバーを含有する材料により形成された薬剤保持用成型体を提供するものである。天然高分子系ナノファイバーは、耐熱性及び耐薬品性に優れているため、天然高分子系ナノファイバーを用いた薬剤保持用成型体は、洗浄及び殺菌することにより、繰り返し使用することができる。また、使用後すぐ廃棄する場合であっても、石油由来の成型体を用いるよりも環境負荷を低減させることができる。【選択図】図１
2020103621.tif 000002
【特許請求の範囲】
【請求項１】
薬剤を内部に保持する外装体を有し、
前記外装体は、天然高分子系ナノファイバーを含有する材料により形成されている、薬剤保持用成型体。
【請求項２】
請求項１に記載の薬剤保持用成型体であって、
他の装置と接続する通信部と、
前記外装体に設置され、前記通信部を介して前記他の装置から受信した情報を表示する表示部とを有し、
前記表示部は、天然高分子系ナノファイバーを含有する基板を有する、薬剤保持用成型体。
【請求項３】
請求項２に記載の薬剤保持用成型体であって、
前記外装体に設置され、天然高分子系ナノファイバーを含有する基板を有し、入力操作を受け付ける入力部を有する、薬剤保持用成型体。
【請求項４】
請求項３に記載の薬剤保持用成型体であって、
保持する薬剤名を前記他の装置から受信すると、受信した情報を前記表示部に表示させる制御部を有し、
前記制御部は、前記入力部を介して薬剤の投与終了を示す情報の入力を受け付けると、前記他の装置に通知する、薬剤保持用成型体。
【請求項５】
請求項３又は４に記載の薬剤保持用成型体であって、
前記入力部は、生体情報を取得可能な生体認証センサーを有し、
前記通信部は、前記入力部が取得した前記生体情報を前記他の装置に送信する、薬剤保持用成型体。
【請求項６】
請求項２から５のいずれか一項に記載の薬剤保持用成型体であって、
前記外装体に設置され、天然高分子系ナノファイバーを含有する基板と、発電層とを有する発電部を有し、
前記表示部は、前記発電部の発生した電気を動力として表示を行う、薬剤保持用成型体。
【請求項７】
請求項２から６のいずれか一項に記載の薬剤保持用成型体であって、
前記通信部は、天然高分子系ナノファイバーを含有する基板を有する、薬剤保持用成型体。
【請求項８】
請求項２から７のいずれか一項に記載の薬剤保持用成型体であって、
前記外装体に設置され、天然高分子系ナノファイバーを含有する基板を有し、情報を記憶する記憶部を有する、薬剤保持用成型体。
【請求項９】
請求項２から８のいずれか一項に記載の薬剤保持用成型体であって、
前記外装体及び前記基板は透明である、薬剤保持用成型体。
【請求項１０】
請求項２から９のいずれか一項に記載の薬剤保持用成型体であって、
前記基板は前記外装体の少なくとも一部である、薬剤保持用成型体。
【請求項１１】
請求項１から１０のいずれか一項に記載の薬剤保持用成型体であって、
前記天然高分子系ナノファイバーは、セルロースナノファイバーである、薬剤保持用成型体。
【請求項１２】
請求項１から１１のいずれか一項に記載の薬剤保持用成型体であって、
前記外装体に設置され、薬剤を特定する識別情報が読み取り可能に記録される電子タグを有する、薬剤保持用成型体。
【請求項１３】
請求項１から１２のいずれか一項に記載の薬剤保持用成型体により構成され、前記外装体をシリンジとして有する、注射器。
【請求項１４】
請求項１から１２のいずれか一項に記載の薬剤保持用成型体により構成される、薬剤保持容器。
【発明の詳細な説明】
【技術分野】
【０００１】
本発明は、薬剤保持用成型体、注射器、及び薬剤保持容器に関する。
【背景技術】
【０００２】
医療業界では、注射器や薬剤保持容器など、多くの使い捨ての医療材料が用いられている。
【０００３】
なお、特許文献１には、安全注射器に関する技術が開示されている。同文献の段落[０００５]には、「注射完了後には、弾性ピストン上の錐形ロッドが針管セット上の錐形孔に互いに係合し、弾性ピストンを外力で引くことにより針管セットを注射器筒体内に引込ませ、注射器筒体内部に収納する。また、針管セットのアダプター上には更に突起部を形成しており、この突起部は針管セットが注射器筒体内に引込まれた際に自動的に傾斜状態とさせ、注射器筒体の内壁に当接させることにより、針管が不用意に再び注射器筒体の外部に露出することを防止することができる。」と記載されている。
【先行技術文献】
【特許文献】
【０００４】
【特許文献１】特開２００１−３７８７８号公報
【発明の概要】
【発明が解決しようとする課題】
【０００５】
注射器や薬剤保持容器等の使い捨ての医療材料の多くは、石油由来のプラスチック製であり、ＣＯ２排出量の増大の一因となっているだけでなく、自然界で分解されにくく、環境負荷の増大を招いている。
【０００６】
本発明は、上記の点に鑑みてなされたものであって、環境負荷の増大を抑制する医療材料の提供を目的とする。
【課題を解決するための手段】
【０００７】
本願は、上記課題の少なくとも一部を解決する手段を複数含んでいるが、その例を挙げるならば、以下の通りである。
【０００８】
上記課題を解決するため、本発明の一態様に係る薬剤保持用成型体は、薬剤を内部に保持する外装体を有し、前記外装体は、天然高分子系ナノファイバーを含有する材料により形成されている。
【０００９】
また、上記課題を解決するため、本発明の他の態様に係る注射器は、上述の薬剤保持用成型体により構成され、前記外装体をシリンジとして有する。
【００１０】
また、上記課題を解決するため、本発明の他の態様に係る薬剤保持容器は、上述の薬剤保持用成型体により構成される。
【発明の効果】
【００１１】
本発明によれば、環境負荷の増大を抑制する医療材料を提供することができる。
【００１２】
上記した以外の課題、構成、及び効果は、以下の実施形態の説明により明らかにされる。
【図面の簡単な説明】
【００１３】
【図１】第１の実施形態における薬剤保持用成型体の外観の一例を示す図である。
【図２】第１の実施形態における薬剤保持用成型体の機能ブロックの一例を示す図である。
【図３】第１の実施形態における薬剤保持用成型体表示システムの処理の一例を示すシーケンス図である。
【図４】第１の実施形態の変形例における薬剤保持用成型体の機能ブロックの一例を示す図である。
【図５】第１の実施形態の変形例における薬剤保持用成型体表示システムの処理の一例を示すシーケンス図である。
【図６】第２の実施形態における薬剤保持用成型体の外観の一例を示す図である。
【発明を実施するための形態】
【００１４】
天然材料からナノファイバーを採取し、高機能材料として用いる技術がある。例えば、製紙用パルプや木材等を化学的又は物理的に解繊して得られるセルロースナノファイバーや、カニの殻等に含まれるキチン質を精製し解繊して得られるキチンナノファイバー等は、天然高分子系ナノファイバー（又はバイオ系ナノファイバー）として活用される。
【００１５】
ナノファイバーとは、直径が１ｎｍ以上１００ｎｍ以下の繊維径を有する繊維物資をいう。一例として、製紙用パルプや木材等の解繊過程で得られるセルロースナノファイバーのスラリーや、乾燥させたセルロースナノファイバーを液中に分散させて得られる分散液に樹脂を複合化し、基板上に塗布して乾燥させることで、フィルム状のセルロースナノファイバーの成型体を得ることができる。また、該スラリーや分散液を立体成型することにより、立体形状のセルロースナノファイバーの成型体を得ることができる。
【００１６】
このようにして生成されたセルロースナノファイバーの成型体は、セルロース分子鎖の結晶化の作用により、軽量、高強度であり、熱膨張が小さく、透明性が高いなど、優れた特性を有する。また、セルロースナノファイバーは植物由来であるため、生産及び廃棄に関する環境負荷が小さい。
【００１７】
そのため、セルロースナノファイバーは、フィルター等の構造材料や電子デバイス等のエレクトロニクス材料など、多分野に渡る応用が期待されている。本実施形態における薬剤保持用成型体は、天然高分子系ナノファイバーを含有して構成される。以下、薬剤保持用成型体が、セルロースナノファイバーを含有する材料により形成されている例を用いて説明する。
【００１８】
セルロースナノファイバーは、耐熱性及び耐薬品性に優れているため、セルロースナノファイバーを用いた薬剤保持用成型体は、洗浄及び殺菌することにより、繰り返し使用することができる。また、使用後すぐ廃棄する場合であっても、植物由来であるため、石油由来の成型体を用いるよりも環境負荷を低減させることができる。
【００１９】
＜第１の実施形態＞
【００２０】
以下、図面に基づいて本発明の実施形態の例を説明する。第１の実施形態は、薬剤保持用成型体１を用いて生成される注射器に関する。
【００２１】
図１は、第１の実施形態における薬剤保持用成型体１の外観の一例を示す図である。薬剤保持用成型体１は、注射器であって、薬剤を内部に保持する外装体であるシリンジ１０と、筒先１１と、針１２と、フィンガーフランジ１３と、プランジャー１４と、電子部品１５とを有する。シリンジ１０及びフィンガーフランジ１３は、セルロースナノファイバーを含有する材料により形成される。
【００２２】
一例として、シリンジ１０及びフィンガーフランジ１３は、セルロースナノファイバーを分散させた分散液を用いて一体成型することにより生成される。なお、シリンジ１０及びフィンガーフランジ１３の生成方法はこれに限られない。例えば、シリンジ１０及びフィンガーフランジ１３は、セルロースナノファイバーをシート状に成型し、必要部分を溶着又は接着して生成されてもよい。
【００２３】
筒先１１は、シリンジ１０に保持される薬剤を針１２に導く部材である。針１２は、薬液を体内に導く。筒先１１及び針１２の材料は問わないが、一例として、筒先１１及び針１２はセルロースナノファイバーを含有する材料により形成される。なお、本実施形態における注射器は、針１２を有していなくてもよく、例えば空気を噴射して薬液を体内に注入するものであってもよい。
【００２４】
プランジャー１４は、施術者により押圧される押し子を一端に有し、ガスケットを他端に有する部材であって、押し子の押圧によりシリンジ１０内の薬剤が体内に射出される。プランジャー１４の材料は問わないが、一例として、セルロースナノファイバーを含有する材料により形成される。
【００２５】
なお、セルロースナノファイバーを含有する材料により形成されるシリンジ１０は、例えば透明である。なお、シリンジ１０は、無着色透明であっても、着色透明であっても、着色不透明であってもよい。用途に応じて色分けすることで、ヒューマンエラーを抑制することができる。筒先１１、針１２、又はプランジャー１４は、セルロースナノファイバーを含有する材料により形成する場合、透明であってもよい。当然ながら、筒先１１、針１２、又はプランジャー１４についても、用途に応じた色分けが可能である。
【００２６】
電子部品１５は、表示部１５１と、電源部１５２と、通信部１５３と、を含む。表示部１５１は、外装体であるシリンジ１０に設置される、液晶ディスプレイ又は有機ＥＬディスプレイ等の表示装置である。表示部１５１は、例えば通信部１５３を介して接続される他の装置から受信した情報を表示する。
【００２７】
また例えば、表示部１５１は、セルロースナノファイバーを含有して構成される。表示部１５１を構成する表示装置は、セルロールナノファイバーの分散液をろ過して得られたシートを樹脂に浸漬させ、硬化させることで得られる透明基板を用いて生成される。一例として、表示部１５１は、セルロースナノファイバーを含有する透明基板に、ＩＴＯ（酸化インジウムスズ）又は金属ナノワイヤ等の透明電極と、発光材料を含む有機エレクトロルミネッセンス層又は液晶層とを積層させて生成される。
【００２８】
一例として、表示部１５１は、表示を行っていない状態では透明である。なお、表示部１５１は、無着色透明、着色透明、着色不透明のいずれであってもよい。用途に応じて表示部１５１を異なる色で構成することで、薬剤の取り違え等のミスを防ぐことができる。
【００２９】
表示部１５１は、電源部１５２から供給された電気を動力として表示を行う。セルロースナノファイバーを含有させて生成される表示部１５１は、可撓性に優れ、外装体の形状に合わせて形状を変化させることができる。なお、表示部１５１は、一般的な電子デバイスで用いられる表示装置により構成されていてもよい。
【００３０】
電源部１５２は、電子部品１５を構成する各部（表示部１５１、通信部１５３、及び後述の制御部１１０）に電気を供給する。例えば電源部１５２は、外装体に設置され、セルロースナノファイバーを含有する太陽電池により構成される。その場合、電源部１５２は、例えばセルロースナノファイバーを含む透明基板に金属ナノワイヤを印刷、又は金属薄膜を積層し、太陽電池素子を搭載させて生成される。即ち、太陽電池素子は、発電層として機能する。また、この場合、電源部１５２は発電部として機能する。セルロースナノファイバーを用いた太陽電池は、表示装置と同様に可撓性に優れ、外装体の形状に合わせて形状を変化させることができる。なお、電源部１５２は、一般的な電子デバイスで用いられる小型電池により構成されてもよい。
【００３１】
通信部１５３は、他の装置（後述の端末装置２００）と有線又は無線により接続して情報の送受信を行う。例えば通信部１５３は、外装体に設置され、セルロースナノファイバーを含有するアンテナにより構成される。その場合、通信部１５３は、例えばセルロースナノファイバーを含む透明基板に金属ナノワイヤを印刷、又は金属薄膜を積層して生成される。セルロースナノファイバーを用いたアンテナは、表示装置と同様に可撓性に優れ、外装体の形状に合わせて形状を変化させることができる。なお、通信部１５３は、一般的な電子デバイスで用いられるアンテナにより構成されてもよい。また、通信部１５３は、透明であってもよい。
【００３２】
なお、電子部品１５の有する基板がセルロースナノファイバーを用いて構成される場合、基板はシリンジ１０の一部であってもよい。つまり、例えば表示部１５１に関し、外装体であるシリンジ１０に、透明電極と、有機エレクトロルミネッセンス層又は液晶層とを積層させて構成されたものであってもよい。同様に、電源部１５２及び通信部１５３についても、外装体であるシリンジ１０に各種部品を設置して構成されていてもよい。
【００３３】
また、電子部品１５の少なくとも一部は、外装体１０に対して着脱可能であってもよい。また、電子部品１５は、表示部１５１と、電源部１５２と、通信部１５３との外、ＲＦＩＤ（radio frequency identifier）等の電子タグを有していてもよい。例えば電子タグには、薬剤を特定する識別情報が読み取り可能に記録されている。電子部品１５の有する電子タグを、端末装置２００等に接続されたタグリーダーで読み取ることにより、薬剤の在庫管理などの管理効率が向上する。
【００３４】
付言すれば、薬剤保持用成型体１は、電子部品１５を有していなくてもよい。また、薬剤保持用成型体１を用いて生成される注射器は、図１に示す態様に限られない。例えば、図１に示す薬剤保持用成型体１は、シリンジ１０が円筒形状であるが、形状はこれに限られない。また、薬剤保持用成型体１は、例えば、専用のプランジャーに装着して使用するカートリッジ型注射器や、主に自己注射に用いられるエピペン（登録商標）等であってもよい。
【００３５】
図２は、第１の実施形態における薬剤保持用成型体１の機能ブロックの一例を示す図である。薬剤保持用成型体１は、表示部１５１と、電源部１５２と、通信部１５３とを制御する制御部１１０を電子部品１５に有する。制御部１１０は、ＣＰＵ等の演算装置によりその機能を発揮し、電子部品１５を統括的に制御する。
【００３６】
制御部１１０は、出力制御部１１１を有する。出力制御部１１１は、通信部１５３を介して接続された端末装置２００から送信された情報を、表示部１５１に表示させる。例えば出力制御部１１１は、受信した情報を用いて表示情報を生成して表示部１５１に通知する。
【００３７】
図３は、第１の実施形態における薬剤保持用成型体表示システムの処理の一例を示すシーケンス図である。
【００３８】
まず、端末装置２００は、患者氏名、薬剤名、薬剤の量、及び施術者氏名の入力を受け付ける（ステップＳ０１）。
【００３９】
次に、端末装置２００は、入力された情報を薬剤保持用成型体１に送信する（ステップＳ０２）。
【００４０】
次に、薬剤保持用成型体１の出力制御部１１１は、受信した情報を表示する（ステップＳ０３）。具体的には、出力制御部１１１は、通信部１５３を介して受信した情報を用いて表示情報を生成し、患者氏名、薬剤名、薬剤の量、及び施術者氏名を表示部１５１に表示させる。その後、薬剤保持用成型体１及び端末装置２００は、本フローチャートの処理を終了する。
【００４１】
なお、端末装置２００が入力を受け付け、表示部１５１に表示される上記の情報は一例であって、他の情報を受け付けてもよいし、例示した情報のいずれかを受け付けなくてもよい。例えば治療指示情報、患者の既往歴等の個人情報、薬液情報など、施術時又は保管時に有用な各種情報を表示させることができる。また例えば、端末装置２００が患者のＩＤ等の識別情報の入力を受け付けると、当該識別情報又は当該識別情報に対応する患者の氏名が表示部１５１に表示されてもよい。
【００４２】
以上、本実施形態の薬剤保持用成型体１は、耐久性に優れているため、所定の処置により繰り返し用いることができ、使用後すぐ廃棄するよりも環境負荷を抑制することができる。また、本実施形態の薬剤保持用成型体１を使用後に廃棄する場合であっても、天然由来であるため、石油由来の成型体に比べて環境に与える影響を低減することができる。
【００４３】
また、薬剤保持用成型体１を繰り返し使用する場合、使用の都度、表示部１５１に表示させる情報を変更することができ、利便性が向上する。また、表示させる情報を端末装置２００で一括管理することができるため、確認不足による誤投与等のヒューマンエラーを抑制するとともに、治療に関する情報や薬剤に関する情報の管理効率の向上に寄与する。
【００４４】
＜変形例＞
【００４５】
次に、第１の実施形態の変形例における薬剤保持用成型体１について説明する。以下、第１の実施形態と異なる点について説明する。
【００４６】
図４は、第１の実施形態の変形例における薬剤保持用成型体１の機能ブロックの一例を示す図である。本変形例における薬剤保持用成型体１は、制御部１１０と、表示部１５１と、電源部１５２と、通信部１５３のほか、電子部品１５として、入力部１５４と、記憶部１５５とを有する。
【００４７】
入力部１５４は、入力操作を受け付ける入力装置により構成される。例えば入力部１５４は、外装体に設置され、電源部１５２から供給された電気を動力としてタッチ操作を検出することにより、入力操作を受け付ける。一例として、入力部１５４は、セルロースナノファイバーを含有する基板を有する。入力部１５４のタッチ操作の検出方法は限定されず、基板に積層された抵抗膜を用いて操作を検出する抵抗膜方式、静電容量の変化を検知する静電容量方式など、各種の検出方式を用いることができる。
【００４８】
なお、入力装置は、表示部１５１としての機能をも有するタッチパネルであってもよい。なお、入力装置は、例えば表示部１５１に表示されたポインターの操作を受け付けるポインティングデバイスであってもよいし、ハードウェアボタン等であってもよい。また、入力装置は、生体情報を取得可能な生体認証センサーとして機能してもよい。
【００４９】
記憶部１５５は、電源部１５２の発生した電気を動力として情報を記憶する。例えば記憶部１５５は、外装体に設置され、セルロースナノファイバーを有する透明基板に対し、絶縁層を介した電極層を設けた記憶装置により構成される。なお、記憶装置は、絶縁層にセルロースナノファイバーを含有させたものであってもよい。セルロースナノファイバーを含む記憶装置は、可撓性に優れ、外装体の形状に合わせて形状を変化させることができる。なお、記憶部１５５は、一般的な電子デバイスで用いられる記憶装置により構成されてもよい。
【００５０】
なお、電子部品１５の有する基板がセルロースナノファイバーを用いて構成される場合、基板はシリンジ１０の一部であってもよい。つまり、入力部１５４又は記憶部１５５の有する基板が、外装体の一部であってもよい。また、入力部１５４及び記憶部１５５の少なくとも一方は、外装体１０に対し着脱可能であってもよい。また、入力装置及び記憶装置は、例えば透明である。
【００５１】
制御部１１０は、出力制御部１１１のほか、入力制御部１１２を有する。入力制御部１１２は、入力部１５４を介して情報の入力を受け付ける。例えば入力制御部１１２は、入力された情報を一時的に記憶部１５５に記憶させる。
【００５２】
図５は、第１の実施形態の変形例における薬剤保持用成型体表示システムの処理の一例を示すシーケンス図である。ステップＳ１１からステップＳ１３において行われる処理は、図３に示すシーケンス図のステップＳ０１からステップＳ０３において行われる処理と同様であるため、説明を省略する。
【００５３】
ステップＳ１３の後、薬剤保持用成型体１の入力制御部１１２は、投与終了の入力を受け付ける（ステップＳ１４）。具体的には、薬剤の投与が終了すると、入力制御部１１２は、薬剤の投与が終了したことを示す入力操作を受け付ける。例えば入力制御部１１２は、表示装置に表示される「投与が終了しましたか？Ｙｅｓ  ｏｒ  Ｎｏ」という画像に対し、「Ｙｅｓ」の部分を選択する操作を受け付ける。
【００５４】
次に、通信部１５３は、入力された情報を送信する（ステップＳ１５）。具体的には、通信部１５３は、薬剤の投与が終了したことを示す情報を、端末装置２００に送信する。
【００５５】
次に、端末装置２００は、電子カルテに情報を記録する（ステップＳ１６）。具体的には、端末装置２００は、ステップＳ１１で入力を受け付けた患者について生成された電子カルテを参照し、同ステップで入力を受け付けた量及び種類の薬剤の投与を終了したことを示す情報を記入する。なお、端末装置２００は、当該薬剤の在庫を減少させる処理を行ってもよい。
【００５６】
次に、薬剤保持用成型体１の出力制御部１１１は、表示を終了させる（ステップＳ１７）。具体的には、出力制御部１１１は、ステップＳ１３における情報の表示を終了させる。ステップＳ１６とステップＳ１７の処理の先後は問わない。その後、薬剤保持用成型体１及び端末装置２００は、本フローチャートの処理を終了する。
【００５７】
なお、本フローチャートの処理は、薬剤保持用成型体１が行いうる処理の一例を示すものに過ぎない。例えば、ステップＳ１１で端末装置２００に入力される情報について、薬剤保持用成型体１の入力制御部１１２が直接入力を受け付けてもよい。例えば、入力制御部１１２が、入力部１５４を介して、いつ、誰が、誰に対して薬剤を投与したかの情報の入力を受け付けて端末装置２００に送信することにより、薬剤投与に関する情報の一括管理が可能となる。
【００５８】
また例えば、薬剤を保持させた状態で流通されるプレフィルドシリンジ等において、薬剤に関する情報を記憶部１５５に記憶させておき、入力操作に応じて該情報を表示させてもよい。
【００５９】
また、入力装置が生体認証センサーを有する場合において、端末装置２００に予め患者又は施術者の生体情報を登録することで、投与の対象となる患者又は施術者の管理を効率的に行うことができる。例えば、ステップＳ１３〜ステップＳ１５のいずれかのタイミングにおいて、入力部１５４が施術者の指紋を取得し、通信部１５３が端末装置２００に送信する。端末装置２００は、対象の患者の電子カルテに対し、受信した指紋により特定される施術者を記録する。
【００６０】
また例えば、ステップＳ１３〜ステップＳ１５のいずれかのタイミングにおいて、患者が入力部１５４に触れることにより、入力部が患者の指紋を取得し、端末装置２００に送信する。端末装置２００は、受信した指紋により特定される患者の電子カルテに対して、薬剤投与履歴に関する情報を記録する。このように、薬剤投与に関し、いつ、誰が、誰に対して投与したかを、生体情報を用いて管理することにより、管理する情報の信頼性が向上する。なお、生体情報は指紋に限定されず、例えば静脈情報等であってもよい。
【００６１】
以上、本実施形態により、薬剤保持用成型体１への情報の入出力を効率的に行うことができる。これにより、施術者は必要な情報を適切なタイミングで把握できるだけでなく、薬剤保持用成型体１に入力された情報を管理することができ、医療場面における作業効率を向上させることができる。
【００６２】
＜第２の実施形態＞
【００６３】
次に、第２の実施形態における薬剤保持用成型体２について説明する。以下、第１の実施形態と異なる点について説明する。
【００６４】
図６は、第２の実施形態における薬剤保持用成型体２の外観の一例を示す図である。薬剤保持用成型体２は、輸液パックであって、外装体２０と、電子部品２５とを有する。外装体２０は、第１の実施形態におけるシリンジ１０と同様に、セルロースナノファイバーを含有する材料により形成される。
【００６５】
電子部品２５は、表示部２５１と、電源部２５２と、通信部２５３と、を含む。表示部２５１と、電源部２５２と、通信部２５３とは、上述の表示部１５１と、電源部１５２と、通信部１５３と同様であるため、説明を省略する。なお、電子部品２５は、第１の実施形態の変形例と同様に、入力部１５４と、記憶部１５５とを有していてもよい。
【００６６】
即ち、表示部２５１は、電源部２５２から供給された電力を用いて、通信部２５３を介して接続される端末装置２００から受信した情報か、又は電子部品２５の有する入力部への入力操作により取得した情報かを表示する。
【００６７】
なお、薬剤保持用成型体２は、注射器又は輸液パックに限定されるものではない。例えば、薬剤を保持するアンプル、バイアル、カートリッジなど、薬剤保持容器全般について、本実施形態における薬剤保持用成型体２により構成することができる。
【００６８】
以上、本実施形態において、薬剤保持用成型体２で薬剤保持容器を構成することで、環境負荷の抑制を考慮した医療材料を提供することができる。また、薬剤保持容器においても、必要とされる情報を表示させることで、医療効率の向上に寄与することができる。
【００６９】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【００７０】
また、上記の薬剤保持用成型体１・２の構成は、処理内容に応じて、さらに多くの構成要素に分類することもできる。また、１つの構成要素がさらに多くの処理を実行するように分類することもできる。
【符号の説明】
【００７１】
１・２：薬剤保持用成型体、１０：シリンジ、１１：筒先、１２：針、１３：フィンガーフランジ、１４：プランジャー、１５・２５：電子部品、２０：外装体、１１０：制御部、１１１：出力制御部、１１２：入力制御部、１５１・２５１：表示部、１５２・２５２：電源部、１５３・２５３：通信部、１５４：入力部、１５５：記憶部、２００：端末装置
【図１】
2020103621.tif 000003
【図２】
2020103621.tif 000004
【図３】
2020103621.tif 000005
【図４】
2020103621.tif 000006
【図５】
2020103621.tif 000007
【図６】
2020103621.tif 000008